(57)【特許請求の範囲】
【請求項１】
液透過性の表面層、液不透過性の裏面層及び該表面層及び該裏面層の間に配置される吸収体を備えると共に、互いに対向する一対の端部と、該一対の端部に直交し互いに対向する一対の側部と、を有して矩形形状に構成され、ペットの胴回りに巻きつけられて装着されるペット用吸収性物品であって、
前記一対の側部における前記表面層側にそれぞれ配置され、該表面層から起立する第１立体ギャザー部及び第２立体ギャザー部を更に備え、
前記第１立体ギャザー部及び前記第２立体ギャザー部は、
前記一対の側部における前記表面層側にそれぞれ配置されると共に、外側縁が前記表面層又は前記裏面層に接合され内側縁の少なくとも一部が自由端となった一対のサイドシートと、
前記一対のサイドシートの内側縁近傍に取り付けられた弾性部材と、を備えて構成され、
前記第１立体ギャザー部を構成する前記サイドシートの内側縁側は、前記一対の端部において前記ペット用吸収性物品の幅方向の外側に折り返されて接合されるペット用吸収性物品。
【請求項２】
前記第２立体ギャザー部を構成する前記サイドシートの内側縁側は、前記一対の端部において前記表面層に接合される請求項１に記載のペット用吸収性物品。
【請求項３】
前記一対の端部のうちの少なくとも一方の端部の近傍に形成され所定の曲げ剛性を有する第１高剛性領域と、
前記ペット用吸収性物品の長手方向の中央部における前記吸収体が配置された領域に形成される第２高剛性領域と、
前記第１高剛性領域と前記第２高剛性領域との間に形成され該第１高剛性領域及び前記第２高剛性領域よりも曲げ剛性の小さい低剛性領域と、を更に備え、
前記弾性部材の端部は、前記低剛性領域に位置する請求項１又は２に記載のペット用吸収性物品。
【請求項４】
前記一対の端部のうちの一方の端部における前記裏面層側に配置されて矩形形状に構成されると共に、長手方向が前記ペット用吸収性物品の幅方向に沿って延びる係止部材を更に備え、
前記第１高剛性領域は、前記一方の端部における前記係止部材が配置された部分に形成される請求項３に記載のペット用吸収性物品。
【請求項５】
前記吸収体は、前記ペット用吸収性物品の長手方向の一端部側から他端部側まで延びる帯状の吸収体本体と、該吸収体本体の長手方向の中央部における前記第１立体ギャザー部が配置される側の側縁から幅方向の外方に延出する第１延出部と、を備える請求項１〜４のいずれかに記載のペット用吸収性物品。
【請求項６】
前記ペット用吸収性物品が装着される場合に、指標となる位置を表示する位置表示部を更に備える請求項５に記載のペット用吸収性物品。
【請求項７】
前記位置表示部は、前記吸収体本体又は前記第１延出部に対応する位置に配置される請求項６に記載のペット用吸収性物品。
【請求項８】
前記位置表示部は、前記裏面層の外面側から視認できる位置に配置される請求項６又は７に記載のペット用吸収性物品。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、ペットの尿がもれてしまう場合があった。
【０００４】
そこで、吸収体と、この吸収体の一方の面に配置される液透過性の表面層と、吸収体の他方の面に配置される液不透過性の裏面層と、を備えて矩形形状に構成されると共に、長手方向に沿う一対の側部に立体ギャザーを配置した、ペットの胴回り部に巻きつけて装着されるペット用吸収性物品が提案されている。
このような、矩形形状に構成されたペット用吸収性物品によれば、尿道口の位置にかかわらず、確実に尿道口を覆って装着させられる。また、ペットの身体に巻きつけられた状態で、ペットの尿道口の前側及び後側に位置する部分にそれぞれ立体ギャザー部が配置されるので、尿の漏れを防げる。
【０００５】
また、ペットの後足の付け根間からの尿の漏れを防ぐために、ペットの身体の前側に配置される立体ギャザー部の起立する部分の長さを長くし、ペットの身体の後側に配置される立体ギャザー部の起立する部分の長さを短く構成したペット用吸収性物品が提案されている（特許文献１参照）。
特許文献１で提案されたペット用吸収性物品を雄のペットに装着する場合には、ペットの身体の後側に配置される立体ギャザー部の起立した部分を、ペットの泌尿器である性器の根元部分に引っ掛けるようにして装着する。これにより、ペットの泌尿器の後側に立体ギャザー部を位置させて、尿の漏れを防いでいる。
【先行技術文献】
【特許文献】
【０００６】
【特許文献１】特開２００７−２０５３３号公報
【発明の概要】
【発明が解決しようとする課題】
【０００７】
しかしながら、特許文献１で提案されたペット用吸収性物品では、ペットの身体の後側に配置される立体ギャザー部の起立する部分の長さを短く構成しているので、ペット用吸収性物品をペットに装着する場合に、立体ギャザー部が内側に倒れやすい。そして、立体ギャザー部が内側に倒れてしまうと、ペットの泌尿器の後側を立体ギャザー部で覆うことができず、尿が漏れてしまう。また、短い長さで起立した立体ギャザー部をペットの性器の根元部分に引っ掛けた状態でペット用吸収性物品を装着するので、ペットの性器の根元部分に強い応力が加わり、ペットの身体に負担がかかってしまう。
【０００８】
従って、本発明は、ペットの身体に負担をかけることなく、立体ギャザー部によりペットの泌尿器の後側を好適に覆うことのできるペット用吸収性物品を提供することを目的とする。
【課題を解決するための手段】
【０００９】
本発明は、液透過性の表面層、液不透過性の裏面層及び該表面層及び該裏面層の間に配置される吸収体を備えると共に、互いに対向する一対の端部と、該一対の端部に直交し互いに対向する一対の側部と、を有して矩形形状に構成され、ペットの胴回りに巻きつけられて装着されるペット用吸収性物品であって、前記一対の側部における前記表面層側にそれぞれ配置され、該表面層から起立する第１立体ギャザー部及び第２立体ギャザー部を更に備え、前記第１立体ギャザー部は、前記ペット用吸収性物品の幅方向の外側に倒れやすく構成されるペット用吸収性物品に関する。
【００１０】
また、前記第１立体ギャザー部及び前記第２立体ギャザー部は、前記一対の側部における前記表面層側にそれぞれ配置されると共に、外側縁が前記表面層又は前記裏面層に接合され内側縁の少なくとも一部が自由端となった一対のサイドシートと、前記一対のサイドシートの内側縁近傍に取り付けられた弾性部材と、を備えて構成されることが好ましい。
【００１１】
また、前記第１立体ギャザー部を構成する前記サイドシートの内側縁側は、前記一対の端部において前記ペット用吸収性物品の幅方向の外側に折り返されて接合されることが好ましい。
【００１２】
また、前記第２立体ギャザー部を構成する前記サイドシートの内側縁側は、前記一対の端部において前記表面層に接合されることが好ましい。
【００１３】
また、ペット用吸収性物品は、前記一対の端部のうちの少なくとも一方の端部の近傍に形成され所定の曲げ剛性を有する第１高剛性領域と、前記ペット用吸収性物品の長手方向の中央部における前記吸収体が配置された領域に形成される第２高剛性領域と、前記第１高剛性領域と前記第２高剛性領域との間に形成され該第１高剛性領域及び前記第２高剛性領域よりも曲げ剛性の小さい低剛性領域と、を更に備え、前記弾性部材の端部は、前記低剛性領域に位置することが好ましい。
【００１４】
また、ペット用吸収性物品は、前記一対の端部のうちの一方の端部における前記裏面層側に配置されて矩形形状に構成されると共に、長手方向が前記ペット用吸収性物品の幅方向に沿って延びる係止部材を更に備え、前記第１高剛性領域は、前記一方の端部における前記係止部材が配置された部分に形成されることが好ましい。
【００１５】
また、前記吸収体は、前記ペット用吸収性物品の長手方向の一端部側から他端部側まで延びる帯状の吸収体本体と、該吸収体本体の長手方向の中央部における前記第１立体ギャザー部が配置される側の側縁から幅方向の外方に延出する第１延出部と、を備えることが好ましい。
【００１６】
また、ペット用吸収性物品は、前記ペット用吸収性物品が装着される場合に、指標となる位置を表示する位置表示部を更に備えることが好ましい。
【００１７】
また、前記位置表示部は、前記吸収体本体又は前記第１延出部に対応する位置に配置されることが好ましい。
【００１８】
また、前記位置表示部は、前記裏面層の外面側から視認できる位置に配置されることが好ましい。
【発明の効果】
【００１９】
本発明のペット用吸収性物品によれば、ペットの身体に負担をかけることなく、立体ギャザー部によりペットの泌尿器の後側を好適に覆うことができる。
【図面の簡単な説明】
【００２０】
【図１】本発明の第１実施形態に係るペット用吸収性物品を示す斜視図である。
【図２】第１実施形態のペット用吸収性物品を表面層側から視た平面図である。
【図３】第１実施形態のペット用吸収性物品を裏面層側から視た平面図である。
【図４】図２のＡ−Ａ線断面図である。
【図５】図１のＢ−Ｂ線断面図である。
【図６】図２のＣ−Ｃ線断面図である。
【図７】図２のＤ−Ｄ線断面図である。
【図８】第１実施形態のペット用吸収性物品をペットに装着する過程を示す図であり、第１端部をペットの背中に位置させた状態を示す図である。
【図９】第１実施形態のペット用吸収性物品をペットに装着する過程を示す図であり、ペットの胴回りに巻いたペット用吸収性物品の第２端部を引っ張って、ペット用吸収性物品をペットの胴回りに密着させる様子を示す図である。
【図１０】ペット用吸収性物品をペットの胴回りに装着した状態を示す図である。
【図１１】ペット用吸収性物品をペットの胴回りに装着した状態をペットの左側から視た図である。
【図１２】本発明の第２実施形態に係るペット用吸収性物品を表面層側から視た平面図である。
【図１３】図１２のＥ−Ｅ線断面図である。
【図１４】本発明の第３実施形態に係るペット用吸収性物品を表面層側から視た平面図である。
【図１５】位置表示部の配置の一例を示す図である。
【図１６Ａ】立体ギャザー部の第１変形例を示す図であり、図２のＡ−Ａ線断面図に対応する図である。
【図１６Ｂ】立体ギャザー部の第１変形例を示す図であり、図１のＢ−Ｂ線断面図に対応する図である。
【図１７Ａ】立体ギャザー部の第２変形例を示す図であり、図２のＡ−Ａ線断面図に対応する図である。
【図１７Ｂ】立体ギャザー部の第２変形例を示す図であり、図１のＢ−Ｂ線断面図に対応する図である。
【図１８Ａ】立体ギャザー部の第３変形例を示す図であり、図２のＡ−Ａ線断面図に対応する図である。
【図１８Ｂ】立体ギャザー部の第３変形例を示す図であり、図１のＢ−Ｂ線断面図に対応する図である。
【図１９】吸収体の形状の一例を示す図である。
【発明を実施するための形態】
【００２１】
以下、本発明のペット用吸収性物品の好ましい各実施形態について、図面を参照しながら説明する。
まず、第１実施形態のペット用吸収性物品について、図１〜図７を参照しながら説明する。
第１実施形態のペット用吸収性物品１は、図１及び図２に示すように、互いに対向する一対の端部としての第１端部１１及び第２端部１２と、これら第１端部１１及び第２端部１２に直交し互いに対向する一対の側部としての後側側部１７及び前側側部１８と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００２２】
ペット用吸収性物品１は、図１〜図７に示すように、液透過性の表面層を構成する表面シート２と、液不透過性の裏面層３を構成する裏面シート３１及び防水シート３２と、吸収体４と、一対のサイドシート５１，５２と、弾性部材としての第１弾性部材６１と、第２弾性部材６２と、係止部材としてのフックテープ７と、位置表示部８と、を備える。
【００２３】
表面シート２は、矩形形状に構成される。この表面シート２は、主として、装着対象のペットの身体に当接する側の面を構成する。表面シート２としては、有孔又は無孔の不織布や多孔性プラスティックシートを用いることができる。第１実施形態では、表面シート２は、後述するフックテープ７と好適に係合させる観点から、不織布により構成されることが好ましい。
【００２４】
裏面シート３１は、図４〜図６に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。
【００２５】
一対のサイドシート５１，５２は、図２に示すように、細長い矩形形状に構成され、表面シート２の長手方向に沿う側部の身体側にそれぞれ配置される。一対のサイドシート５１，５２の長さは、表面シート２及び裏面シート３１の長さと略等しく構成される。一対のサイドシート５１，５２の外側縁は、図４〜図６に示すように、裏面シート３１の側縁の位置と一致している。一対のサイドシート５１，５２の外側縁側は、裏面シート３１の側部に接合されている。
【００２６】
一対のサイドシート５１，５２の内側縁の少なくとも一部は、図１及び図５に示すように、自由端となっている。より具体的には、一対のサイドシート５１，５２は、後側側部１７に配置される第１サイドシート５１と、前側側部１８に配置される第２サイドシート５２と、を備える。ここで、後側側部１７は、ペット用吸収性物品１をペットに装着する場合に、ペットの身体の後側に配置される側の側部であり、前側側部１８は、ペット用吸収性物品１をペットに装着する場合に、ペットの身体の前側に配置される側部である。
【００２７】
第１サイドシート５１の内側縁は、図４〜図６に示すように、ペット用吸収性物品１の長手方向ＬＤの全長に亘って表面シート２とは接合されていない。また、この第１サイドシート５１の内側縁側は、図４及び図６に示すように、第１端部１１及び第２端部１２において、ペット用吸収性物品１の幅方向ＷＤの外側に折り返されている。そして、折り返されて重ね合わせられた２層の第１サイドシート５１は、ホットメルト接着剤Ｈにより接合される。
【００２８】
第２サイドシート５２の内側縁は、図４及び図６に示すように、第１端部１１及び第２端部１２において、ホットメルト接着剤Ｈによって表面シート２に接合されている。そして、第２サイドシート５２の内側縁は、図５に示すように、第２サイドシート５２における長手方向ＬＤの一端部及び他端部を除く部分において、自由端となっている。
【００２９】
サイドシート５１，５２としては、撥水性又は疎水性を有するものが好ましく用いられ、具体的には、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。
【００３０】
吸収体４は、図４及び図７に示すように、重ね合わせられた表面シート２及び裏面層３の間に介在配置される。吸収体４は、図２及び図３に示すように、矩形帯状の吸収体本体４１と、この吸収体本体４１から延出する第１延出部４２と、を備える。
【００３１】
吸収体本体４１は、ペット用吸収性物品１の長手方向ＬＤの一端側から他端側まで延びて配置される。
吸収体本体４１の長さは、図７に示すように、表面シート２及び裏面シート３の長さよりも短く構成されている。そして、ペット用吸収性物品１の長手方向ＬＤの一端部である第１端部１１及び他端部である第２端部１２には、吸収体本体４１は、配置されない。
【００３２】
吸収体本体４１の幅は、表面シート２及び裏面シートの幅よりも狭く構成される。吸収体本体４１は、図２に示すように、ペット用吸収性物品１の幅方向ＷＤにおいて、第２サイドシート５２が配置されている側（前側側部１８側）に偏って配置される。
【００３３】
第１延出部４２は、吸収体本体４１の長手方向の中央部から幅方向の外方に延出する。より具体的には、第１延出部４２は、吸収体本体４１の長手方向に沿う一対の側部のうちの第１サイドシート５１が配置される側に配置される。第１延出部４２のペット用吸収性物品１の長手方向ＬＤに沿う方向の長さＬ１は、ペットの泌尿器の下面を好適に覆う観点から、好ましくは１５０ｍｍ〜６００ｍｍ、又はペット用吸収性物品１の長さの３０％〜９０％の長さである。第１延出部４２のペット用吸収性物品１の幅方向ＷＤに沿う方向の長さＷ１は、ペットの泌尿器の根元部を好適に覆う観点から、好ましくは１０ｍｍ〜１００ｍｍ、又は吸収体４の幅の１０％〜５０％の長さである。
【００３４】
尚、図１９に示すように、第１延出部４２の形状が、吸収体本体４１からなだらかに突出する形状の場合には、第１延出部４２のペット用吸収性物品１の長手方向ＬＤに沿う方向の長さＬ１は、以下のように算出する。
吸収体４の幅が最も狭い部分の幅をＷｎとし、最も広い部分の幅をＷｗとし、幅Ｗｎと幅Ｗｗの平均（Ｗｎ＋Ｗｗ／２）をみなし延出部幅Ｗａｖとする。そして、吸収体４におけるみなし延出部幅Ｗａｖ間の長手方向ＬＤに沿う方向の長さを、第１延出部４２のペット用吸収性物品１の長手方向ＬＤに沿う方向の長さＬ１とする。
【００３５】
吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００３６】
第１弾性部材６１は、図１及び図２に示すように、第１サイドシート５１及び第２サイドシート５２それぞれの内側縁近傍に配置される。より具体的には、第１弾性部材６１は、図５に示すように、内側縁側で折り返されたサイドシートの間に挟まれると共に、ホットメルト接着剤（図示せず）により伸長状態でサイドシートに固定される。第１弾性部材６１は、図２に示すように、伸長状態において、吸収体４（吸収体本体４１）の長手方向の長さよりも長い長さで第１サイドシート５１及び第２サイドシート５２に配置される。
【００３７】
第２弾性部材６２は、図１及び図２に示すように、前側側部１８及び後側側部１７それぞれに配置される。より具体的には、第２弾性部材６２は、図５に示すように、第１サイドシート５１と裏面シート３１との間、及び第２サイドシート５２と裏面シート３１との間にそれぞれ配置される。また、第２弾性部材６２は、伸長状態で、ホットメルト接着剤により、サイドシート５１，５２及び裏面シート３１に固定される。
第２弾性部材６２は、伸長状態において、吸収体４の長手方向の長さよりも長い長さで前側側部１８及び後側側部１７それぞれに配置される。
【００３８】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００３９】
フックテープ７は、図１〜図３に示すように、ペット用吸収性物品１の第１端部１１の外面に配置される。フックテープ７は、矩形形状に構成され、フックテープ７の長手方向がペット用吸収性物品１の幅方向ＷＤに沿うように配置される。また、フックテープ７は、第１端部１１の側縁から所定の距離内側に離間した位置に取り付けられる。
フックテープ７は、図４に示すように、帯状の基部７１と、この基部７１の一方の面に設けられる複数のフック部７２と、を備える。フックテープ７は、複数のフック部７２が形成された面が外面となるように、裏面シート３１に取り付けられる。
【００４０】
位置表示部８は、ペット用吸収性物品１がペットに装着される場合に、指標となる位置を表示する。第１実施形態では、位置表示部８は、図３に示すように、裏面層３の外面側に配置される。位置表示部８は、ペット用吸収性物品１の長手方向ＬＤの中央部における幅方向ＷＤの第２サイドシート５２が配置された側（前側側部１８側）に配置される。即ち、第１実施形態では、位置表示部８は、ペット用吸収性物品１をペットに装着する場合に、ペットの身体の前側に配置されるべき位置を表示する。
第１実施形態では、位置表示部８は、図３に示すように、花柄のシール部材により構成され、防水シート３２と裏面シート３１との間に配置される（図５参照）。位置表示部８は、裏面シート３１を介して、裏面層３の外面側から視認できる。
【００４１】
以上の位置表示部８によれば、ペット用吸収性物品１を裏面層３側から視た場合においても、帯状のペット用吸収性物品１におけるどちら側の側部をペットの身体の前側に位置させればよいかを、容易に把握できる。
尚、位置表示部８は、この位置表示部８が配置された位置に重なる位置に配置された吸収体４が水分を吸収した場合に色が変化する素材により構成してもよい。これにより、位置表示部８の色の変化を確認することで、ペット用吸収性物品１の交換時期を適切に把握できる。
また、位置表示部８は、裏面層３の外面に印刷を施して構成してもよい。
【００４２】
以上のペット用吸収性物品１は、第１弾性部材６１がペット用吸収性物品１の長手方向ＬＤに沿って伸長状態で第１サイドシート５１及び第２サイドシート５２に固定されている。また、第２弾性部材６２がペット用吸収性物品１の長手方向ＬＤに沿って伸長状態でサイドシート５１，５２と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、後側側部１７及び前側側部１８に、長手方向ＬＤに伸縮可能な一対の胴回りギャザー部１３が形成される（図１参照）。
【００４３】
また、第１サイドシート５１及び第２サイドシート５２における自由端側において、主として、第１弾性部材６１が配置された部分が立ち上がる。これにより、第１サイドシート５１により第１立体ギャザー部１４が形成され、第２サイドシート５２により第２立体ギャザー部１５が形成される（図５参照）。
【００４４】
ここで、第１立体ギャザー部１４のペット用吸収性物品１の長手方向ＬＤに沿う長さは、第１延出部４２のペット用吸収性物品１の長手方向ＬＤに沿う長さＬ１よりも長く構成されている。より詳細には、第１立体ギャザー部１４を構成する第１サイドシート５１の内側縁は、ペット用吸収性物品１の長手方向ＬＤの全長に亘って表面シート２とは接合されていない。また、この第１サイドシート５１の内側縁側は、図４及び図６に示すように、第１端部１１及び第２端部１２において、ペット用吸収性物品１の幅方向ＷＤの外側に折り返されて接合されている。これにより、第１立体ギャザー部１４（第１サイドシート５１）は、自由端側が立ち上がった状態から、ペット用吸収性物品１の幅方向ＷＤの外側に倒れやすく構成される（図５参照）。
【００４５】
一方、第２立体ギャザー部１５を構成する第２サイドシート５２の内側縁側は、第１端部１１及び第２端部１２において表面シート２に接合されており、これら第１端部１１及び第２端部１２を除く部分が自由端となって構成されている。これにより、第２立体ギャザー部１５（第２サイドシート５２）は、自由端側が立ち上がった状態から、ペット用吸収性物品１の幅方向ＷＤの内側に倒れやすく構成される。
【００４６】
また、以上のペット用吸収性物品１の長手方向ＬＤの中央部は、図７に示すように、表面シート２、裏面層３及び吸収体４を主体として構成される。また、ペット用吸収性物品１の第１端部１１側及び第２端部１２側は、吸収体４（吸収体本体４１）の端縁から延出した表面シート２及び裏面層３を主体として構成される。そして、第１端部１１の端縁の近傍には、フックテープ７が配置される。これにより、図７に示すように、第１端部１１におけるフックテープ７が配置された部分には、所定の曲げ剛性を有する第１高剛性領域２１が形成され、ペット用吸収性物品１の長手方向ＬＤの中央部における吸収体４が配置された領域には、第２高剛性領域２２が形成される。そして、第１高剛性領域２１と第２高剛性領域２２との間には、第１高剛性領域２１及び第２高剛性領域２２よりも曲げ剛性の小さい低剛性領域２３が形成される。
また、第１弾性部材６１の端部は、図１及び図２に示すように、低剛性領域２３に位置する。
【００４７】
次に、第１実施形態のペット用吸収性物品１をペットに取り付ける手順について、図８〜図１１を参照しながら説明する。図８〜図１１は、第１実施形態のペット用吸収性物品１をペットに装着する過程を示す図であり、図８は、第１端部１１をペットの背中に位置させた状態を示す図である。図９は、ペットの胴回りに巻いたペット用吸収性物品１の第２端部１２を引っ張って、ペット用吸収性物品１をペットの胴回りに密着させる様子を示す図であり、図１０は、ペット用吸収性物品１をペットの胴回りに装着した状態を示す図であり、図１１は、ペット用吸収性物品１をペットの胴回りに装着した状態をペットの左側面から視た図である。
【００４８】
まず、図８に示すように、ペット用吸収性物品１の第１端部１１をペットの背中に位置させて、この第１端部１１の近傍を装着者の片方の手で押さえる。このとき、裏面層３側に配置されている位置表示部８を確認しながら、この位置表示部８が配置された側をペットの身体の前側に位置させる。この状態で、第１弾性部材６１の端部が位置する低剛性領域２３を曲げ起点として、第１高剛性領域２１を裏面層３側に折り返す（図示せず）。すると、第１高剛性領域２１を折り返すことで、第１弾性部材６１の伸縮力により起立している第１立体ギャザー部１４に対して幅方向ＷＤの外側への力が加わり、第１立体ギャザー部１４は、外側に倒れる。
次いで、第１端部１１を一方の手で押さえたまま、ペット用吸収性物品１の第２端部１２を他方の手で持って、ペット用吸収性物品１をペットの腹側を覆うように巻きつける。
【００４９】
次いで、図９に示すように、第２端部１２を上方に引っ張って、一対の胴回りギャザー部１３をペットの胴回りの密着させた後、図１０に示すように、第２端部１２の内面を第１端部の外面に配置されたフックテープ７に係合させる。これにより、ペット用吸収性物品１は、第１立体ギャザー部１４が外側に倒れた状態で、ペットの胴回りに巻きつけられる。
【００５０】
以上の手順において、ペット用吸収性物品１をペットに装着する場合には、ペットの泌尿器の全体を吸収体４で覆うことができるように、ペット用吸収性物品１をペットの胴体部における後足側に近接させて巻きつける。ここで、第１実施形態では、吸収体本体４１を、ペット用吸収性物品１の幅方向ＷＤにおける第２サイドシート５２が配置される側（ペットの身体の前側）に偏らせて配置している。また、第１延出部４２をペット用吸収性物品１の幅方向ＷＤの外方（ペットの身体の後方）に延出させている。これにより、図１１に示すように、第１延出部４２を、ペットの後足の付け根間に位置する泌尿器の根元部分の下方を覆うように配置できる。また、ペット用吸収性物品１におけるペットの後足に近接して配置される部分においては、吸収体本体４１は配置されない。よって、ペット用吸収性物品１をペットの胴体に巻きつける場合に、吸収体４（吸収体本体４１）は、ペットの後足に干渉しないので、ペット用吸収性物品１を、ペットの胴体における後足側に近接した位置に好適に巻きつけられる。
【００５１】
以上説明した第１実施形態のペット用吸収性物品１によれば、以下のような作用効果を奏する。
【００５２】
（１）第１立体ギャザー部１４を、ペット用吸収性物品１の幅方向ＷＤの外側に倒れやすく構成した。これにより、ペット用吸収性物品１をペットの胴体に巻きつける場合に、第１立体ギャザー部１４（第１サイドシート５１）を外側に倒した状態で、ペットの泌尿器の根元部分の下方及び後方を好適に覆うように配置できる。また、ペットの泌尿器の根元部分に強い応力をかけることなく、ペット用吸収性物品１を装着できるので、ペットの身体に負担をかけない。
【００５３】
（２）第１立体ギャザー部１４及び第２立体ギャザー部１５を、それぞれ、サイドシート５１，５２と第１弾性部材６１とを含んで構成した。これにより、第１立体ギャザー部１４及び第２立体ギャザー部１５を表面シート２から好適に起立させられる。
【００５４】
（３）第１立体ギャザー部１４を構成する第１サイドシート５１の内側縁側を、ペット用吸収性物品１の第１端部１１及び第２端部１２において、ペット用吸収性物品１の幅方向ＷＤの外側に折り返した状態で接合した。これにより、第１立体ギャザー部１４の起立端である第１サイドシート５１の内側縁側を、第１端部１１及び第２端部１２においてペット用吸収性物品１の幅方向ＷＤの外側に向けた状態で固定できる。よって、第１立体ギャザー部１４をペット用吸収性物品１の幅方向ＷＤの外側により倒れやすくできる。
【００５５】
（４）第２立体ギャザー部１５を構成する第２サイドシート５２の内側縁側を、ペット用吸収性物品１の第１端部１１及び第２端部１２において、表面シート２に接合した。これにより、第２立体ギャザー部１５の起立端である第２サイドシート５２の内側縁側を、第１端部１１及び第２端部１２において、ペット用吸収性物品１の幅方向ＷＤの内側に向けた状態で固定できる。よって、第２立体ギャザー部１５をペット用吸収性物品１の幅方向の内側に倒れやすくできるので、ペットの身体の前側からの尿の漏れを効果的に防止できる。
また、雄のペットに、ペット用吸収性物品１を装着した場合には、身体の前側に延びる性器の先端側を、内側に倒れやすい第２立体ギャザー部１５により好適に覆うことができる。よって、ペットの身体の前側からの尿の漏れをより効果的に防止できる。また、性器の先端側が第２立体ギャザー部１５に引っ掛ることで、ペット用吸収性物品１が身体の後側にずれるのを防げる。
【００５６】
（５）ペット用吸収性物品１を、第１端部１１に配置される第１高剛性領域２１と、長手方向ＬＤの中央部に配置される第２高剛性領域２２と、これら第１高剛性領域２１と第２高剛性領域２２との間に配置される低剛性領域２３と、を含んで構成し、第１弾性部材６１の端部を低剛性領域２３に位置させた。これにより、第１弾性部材６１の端部が位置する低剛性領域２３を曲げ起点として、第１高剛性領域２１を裏面層３側に容易に折り返せる。よって、第１高剛性領域２１を折り返すことにより、第１弾性部材６１の伸縮力により起立している第１立体ギャザー部１４に対して外側への力を付与できるので、第１立体ギャザー部１４をより外側に倒れやすくできる。
【００５７】
（６）第１高剛性領域２１を、フックテープ７を含んで構成した。これにより、第１端部１１と第２端部１２とを係合させる部材を用いて容易に第１高剛性領域２１を形成できる。よって、別途第１高剛性領域２１を形成するための部材を用いなくてよいので、ペット用吸収性物品１の製造コストを低減できる。
【００５８】
（７）吸収体本体４１を、ペット用吸収性物品１の幅方向ＷＤにおける第２サイドシート５２が配置される側（ペットの身体の前側）に偏らせて配置し、第１延出部４２をペット用吸収性物品１の幅方向ＷＤの外方に延出させた。これにより、第１延出部４２を、ペットの後足の付け根間に位置する泌尿器の根元部分の下方を覆うように配置できる。また、ペット用吸収性物品１におけるペットの後足に近接して配置される部分においては、吸収体本体４１は配置されない。よって、ペット用吸収性物品１をペットの胴体に巻きつける場合に、吸収体４（吸収体本体４１）は、ペットの後足に干渉しないので、ペット用吸収性物品１を、ペットの胴体における後足側に近接した位置に好適に巻きつけられる。即ち、ペットの胴回りに巻きつけて装着されるペット用吸収性物品において、吸収体４によりペットの泌尿器全体を好適に覆うことができる。
【００５９】
（８）吸収体本体４１を、ペット用吸収性物品１の長手方向ＬＤにおける一端側から他端側に亘って延びるように配置した。これにより、ペット用吸収性物品１をペットに装着した場合に、第１延出部４２が配置される後足の付け根間以外の部分において、吸収体本体４１を、ペットの胴体の側部にも配置できる。よって、ペットが身体を横たえた状態において排尿した場合であっても、尿を胴体の側部に配置された吸収体本体４１により好適に吸収させられる。
【００６０】
（９）ペットの身体の前側に配置されるべき位置を表示する位置表示部８を、裏面層３の外面側から視認できる位置に設けた。これにより、ペット用吸収性物品１を裏面層３側から視た場合においても、帯状のペット用吸収性物品１におけるどちら側の側部をペットの身体の前側に位置させればよいかを、容易に把握できる。
【００６１】
次に、本発明の第２実施形態に係るペット用吸収性物品１について、図１２及び図１３を参照しながら説明する。図１２は、第２実施形態のペット用吸収性物品１を示す平面図である。図１３は、図１２のＥ−Ｅ線断面図である。
尚、第２実施形態以降の説明にあたって、同一構成要件については同一符号を付し、その説明を省略もしくは簡略化する。
【００６２】
第２実施形態のペット用吸収性物品１は、主として、第１立体ギャザー部１４の構成において、第１実施形態と異なる。
第２実施形態では、第１サイドシート５１の内側縁は、図１２及び図１３に示すように、いずれも、長手方向の全長に亘って自由端となっている。また、第１サイドシート５１の内側縁側は、第１端部１１及び第２端部１２において、ペット用吸収性物品１の幅方向ＷＤの外側に折り返されていない。
第２実施形態のペット用吸収性物品１によれば、上述した（１）、（２）、（４）〜（９）の作用効果を奏する。
【００６３】
次に、本発明の第３実施形態のペット用吸収性物品１について、図１４を参照しながら説明する。図１４は、第３実施形態のペット用吸収性物品１を示す平面図である。
第３実施形態のペット用吸収性物品１は、主として、吸収体４の構成において、第１実施形態と異なる。
第３実施形態の吸収体４は、図１４に示すように、吸収体本体４１の一対の側部のうちの第２サイドシート５２が配置された側の側部から幅方向の外方に延出する第２延出部４３を更に備える。第３実施形態では、吸収体本体４１の幅は、第１実施形態よりも狭く構成される。
【００６４】
第２延出部４３は、吸収体本体４１の長手方向の中央部に配置される。第２延出部４３は、第１延出部４２と同形同大に構成される。
また、第３実施形態では、第１サイドシート５１の内側縁及び第２サイドシート５２の内側縁は、図１４に示すように、いずれも、長手方向の全長に亘って自由端となっている。また、第１サイドシート５１の内側縁側及び第２サイドシート５２の内側縁側は、第１端部１１及び第２端部１２において、ペット用吸収性物品１の幅方向ＷＤの外側に折り返されていない。
【００６５】
第３実施形態のペット用吸収性物品１によれば、上述した（１）、（２）、（４）〜（９）の作用効果を奏する他、以下のような作用効果を奏する。
【００６６】
（１０）吸収体４を、吸収体本体４１の一対の側部のうちの第２サイドシート５２が配置された側の側部から幅方向の外方に延出する第２延出部４３を含んで構成した。これにより、吸収体４の形状を、ペット用吸収性物品１の長手方向ＬＤに延びる中心線に対して線対称に構成できる。よって、ペット用吸収性物品１をペットに装着する場合に、ペット用吸収性物品１を装着する向きにかかわらず、ペットの泌尿器の全体を、吸収体４により好適に覆うことができる。
また、吸収体４の形状をペット用吸収性物品１の長手方向ＬＤに延びる中心線に対して線対称に構成できるので、ペット用吸収性物品１の製造工程において、搬送ラインの蛇行を少なくできる。よって、ペット用吸収性物品１を効率的に製造できる。
【００６７】
以上、本発明の好ましい各実施形態について説明したが、本発明は、上述した各実施形態に制限されるものではなく、適宜変更が可能である。
例えば、第１実施形態では、位置表示部８を、裏面層３側に配置したが、これに限らない。即ち、位置表示部を、表面シート側に配置してもよい。
【００６８】
また、第１実施形態では、位置表示部８を、ペット用吸収性物品１の長手方向ＬＤの中央部における幅方向ＷＤの第２サイドシート５２が配置された側に配置したが、これに限らない。即ち、図１５に示すように、位置表示部８を、長手方向ＬＤに所定間隔をあけて複数配置してもよい。
【００６９】
また、第１実施形態〜第３実施形態では、第１立体ギャザー部１４及び第２立体ギャザー部１５を、それぞれ、サイドシートを折り畳む（折り返す）ことなく構成したが、これに限らない。即ち、図１６Ａ及び図１６Ｂに示すように、第１立体ギャザー部１４及び第２立体ギャザー部１５を、第１サイドシート５１及び第２サイドシート５２をそれぞれ複数回（例えば２回）折り返して構成してもよい。また、図１７Ａ及び図１７Ｂに示すように、第１立体ギャザー部１４を、第１サイドシート５１を複数回折り返して構成し、第２立体ギャザー部１５を、第２サイドシート５２を折り返さずに構成してもよい。また、図１８Ａ及び図１８Ｂに示すように、第１立体ギャザー部１４を、第１サイドシート５１を折り返さずに構成し、第２立体ギャザー部１５を、第２サイドシート５２を複数回折り返して構成してもよい。
このように、サイドシートを複数回折り返して立体ギャザー部を構成することで、立体ギャザー部の起立高さを高く構成できる。
【００７０】
また、第１実施形態〜第３実施形態では、裏面層３を、裏面シート３１及び防水シート３２の２層により構成したが、これに限らない。即ち、裏面層を、裏面シート又は防水シートのみにより構成してもよい。
【符号の説明】
【００７１】
１  ペット用吸収性物品
２  表面シート（表面層）
３  裏面層
４  吸収体
７  フックテープ（係止部材）
８  位置表示部
１４  第１立体ギャザー部
１５  第２立体ギャザー部
２１  第１高剛性領域
２２  第２高剛性領域
２３  低剛性領域
４１  吸収体本体
４２  第１延出部
５１  第１サイドシート（サイドシート）
５２  第２サイドシート（サイドシート）
６１  第１弾性部材（弾性部材）
【図１】
0005924754.tif 000002
【図２】
0005924754.tif 000003
【図３】
0005924754.tif 000004
【図４】
0005924754.tif 000005
【図５】
0005924754.tif 000006
【図６】
0005924754.tif 000007
【図７】
0005924754.tif 000008
【図８】
0005924754.tif 000009
【図９】
0005924754.tif 000010
【図１０】
0005924754.tif 000011
【図１１】
0005924754.tif 000012
【図１２】
0005924754.tif 000013
【図１３】
0005924754.tif 000014
【図１４】
0005924754.tif 000015
【図１５】
0005924754.tif 000016
【図１６Ａ】
0005924754.tif 000017
【図１６Ｂ】
0005924754.tif 000018
【図１７Ａ】
0005924754.tif 000019
【図１７Ｂ】
0005924754.tif 000020
【図１８Ａ】
0005924754.tif 000021
【図１８Ｂ】
0005924754.tif 000022
【図１９】
0005924754.tif 000023